(57)【要約】【課題】  キー照明構造において、キーボタンにより多くの光が到達するように構成し、それにより発光素子への供給電力を低減することを課題とする。【解決手段】  電子機器のキーボタンを裏側から照明するためのキー照明構造は、キーボタン５が取り付けられた透明なキーボードシート６と、キーボードシート６の下側に延在し、キー照明用のＬＥＤ３が実装された回路基板４と、キーボードシート６の上側に延在する上ケース２とを有する。光反射層１０，１２は、ＬＥＤ３から放射された光を反射して、キーボタン５及び回路基板４のキーボタンの下面に対向する位置に導く。上ケース２の内面に突起２ｂを形成して、光をキーボタン５の方向に反射してもよい。あるいは、上ケース２の内面に凹面２ｃを形成して光をキーボタン５の方向に集光しながら反射してもよい。【選択図】        図５
2005063887.tif 000002
【特許請求の範囲】
【請求項１】
電子機器のキーボタンを裏側から照明するためのキー照明構造であって、
キーボタンが取り付けられた略透明なキーボードシートと、
該キーボードシートの下側に延在し、キー照明用の発光素子が実装された回路基板と、
該キーボードシートの上側に延在する筐体と
前記発光素子から放射された光を反射して、前記キーボタン及び前記回路基板の前記キーボタンの下面に対向する位置に導く光案内手段と、
を有することを特徴とするキー照明構造。
【請求項２】
請求項１記載のキー照明構造であって、
前記光案内手段は、前記回路基板と前記筐体との間に設けられた光反射層を含むことを特徴とするキー照明構造。
【請求項３】
請求項１記載のキー照明構造であって、
前記光案内手段は前記筐体の前記キーボードシートに対向する面に形成された突起を含み、
該突起の外面形状は、前記発光素子から放射された光を前記キーボタン及び前記キーボタンの下側に向けて反射する形状であることを特徴とするキー照明構造。
【請求項４】
請求項１記載のキー照明構造であって、
前記光案内手段は前記筐体の前記キーボードシートに対向する面に形成された凹面を含み、
該凹面の形状は、前記発光素子から放射された光を前記キーボタン及び前記キーボタンの下側に向けて反射しながら集光する形状であることを特徴とするキー照明構造。
【請求項５】
請求項１記載のキー照明構造であって、
前記光案内手段は前記筐体の前記キーボードシートに対向する面に形成されフレネルレンズを含み、
該フレネルレンズは、前記発光素子から放射された光を前記キーボタン及び前記キーボタンの下側に向けて反射しながら集光する形状であることを特徴とするキー照明構造。
【発明の詳細な説明】
【技術分野】
【０００１】
本発明はキー照明構造に係り、より詳細には、携帯端末装置等のキーパッドを裏側から照明してキーを見やすくするために設けられるキー照明構造に関する。
【背景技術】
【０００２】
携帯電話は、暗い場所でもキー操作を可能とするために、キーを裏側から照明するキー照明構造が組み込まれている。従来のキー照明構造は、図1に示すように携帯電話の筐体を構成する下カバー１と上カバー２の間に、ＬＥＤ（発光ダイオード）３が実装された回路基板４を配置した構成を有する。上カバー２のキーボタン５を配列する部分には開口２ａが形成され、この開口２ａ内に各種キーボタン５が配置される。上カバー２と回路基板４との間には、各種キーボタン５が配置されて固定された半透明のシリコンゴムからなるキーボードシート６が配設される。
【０００３】
以上のような構成において、ＬＥＤ３が発光すると、ＬＥＤ３からの光の一部がキーボタン５の下部に到達し、キーボタン５が裏側から照明される。ところが、ＬＥＤ３からの光の大部分は、上カバー２の裏面あるいは回路基板４の表面で吸収あるいは散乱されてしまい、キーボタン５に到達することなく、無効な光となってしまう。特に上カバー２の内面は露出する部分ではないため表面の状態は考慮されておらす、殆ど光を反射しないような粗面となっている。したがって、キーボタン５に到達するＬＥＤ３からの有効な光は、上カバー２及び回路基板４により吸収あるいは拡散されずに直接到達する一部の光のみであり、キーボタン５の照明が十分ではないという問題があった。
【０００４】
この問題に対し、光を伝播する導光板によりキーシートを形成する方法が提案されている（例えば、特許文献１参照。）。また、さらに改良を加えた構成として、キーボードシートの一面に反射層を設け、他の面を光散乱面とする構成が提案されている（例えば、特許文献２、特許文献３及び特許文献４参照。）。
【特許文献１】特開平６−２２０１７号公報
【特許文献２】実開平６−４５２２２号公報
【特許文献３】実開平５−３１０３９号公報
【特許文献４】特開平７−２７３８５４号公報
【発明の開示】
【発明が解決しようとする課題】
【０００５】
しかし、特許文献１に記載の方法では、回路基板の上に硬い導光板を実装する必要があり、回路基板の電気的特性に影響を及ぼすおそれがある。また、硬い導光板上にキーボタンを取り付けるため、キーボタンを押圧した際のクリック感がうまく得られないといったように、使い勝手に影響を及ぼすおそれがある。
【０００６】
また、特許文献２、特許文献３及び特許文献４に開示された構成では、反射層が設けられた面を滑らかな表面にする必要がある。たとえば、シリコンゴムのように表面に凸凹がある部分に、アルミニウムからなる反射層を蒸着で形成した場合、表面の凸凹の影響により光沢が得られずに反射率が低下してしまう。
【０００７】
また、キーボードシートに遮光層を用いてキーボタンのみに光が照射されるように構成した場合、キーボードシートを形成する層数が増えてコストが増大するという問題がある。
【０００８】
さらに、遮光層の反対側の面が光を散乱する面であれば、その面からの反射光は殆どなく(殆ど透過してしまう)、光がキーボタンに導かれない。したがって、大幅な特性改善は見込めない。
【０００９】
以上のように、近年の情報端末には、使い勝手を向上するためにキー照明構造が搭載されるが、バッテリーの使用時間を延長するために一層の省電力化が要求されている。したがって、キー照明構造の照明効率を向上し、省電力化を図る必要がある。
【００１０】
本発明は上述の問題点に鑑みなされたものであり、キー照明構造において、キーボタンにより多くの光が到達するように構成して照明効率を向上し、それにより発光素子への供給電力を低減することを目的とする。
【課題を解決するための手段】
【００１１】
上述の目的を達成するために、本発明によれば、電子機器のキーボタンを裏側から照明するためのキー照明構造であって、キーボタンが取り付けられた略透明なキーボードシートと、キーボードシートの下側に延在し、キー照明用の発光素子が実装された回路基板と、キーボードシートの上側に延在する筐体と、発光素子から放射された光を反射して、キーボタン及び回路基板のキーボタンの下面に対向する位置に導く光案内手段とを有することを特徴とするキー照明構造が提供される。
【００１２】
上述の発明において、光案内手段は、回路基板と筐体との間に設けられた光反射層を含むことが好ましい。光反射層は、キーボードシートと前記筐体との間に配置された金属箔であることとしてもよい。また、光反射層は、筐体のキーボードシートに対向する面に形成された金属膜であることとしてもよい。さらに、光反射層は、キーボードシートの筐体に対向する面に形成された金属膜であってもよい。また、光反射層は、回路基板の表面に設けられた白印刷層を含むこととしてもよい。また、光反射層は、回路基板の前記キーボードシートに対向する面に設けられた金属膜と、回路基板のキーボタンの下面に対向する位置に設けられた白印刷層とを含むこととしてもよい。上述の光反射層は回路基板の接地回路に電気的に接続されることが好ましい。
【００１３】
また、本発明において、光案内手段は前記筐体のキーボードシートに対向する面に形成された突起を含み、突起の外面形状は、発光素子から放射された光をキーボタン及びキーボタンの下側に向けて反射する形状であることが好ましい。また、突起は、発光素子に対応した位置に形成されることが好ましく、頂点が発光素子の方向に向いた三角形の断面を有することがより好ましい。
【００１４】
上述の構成においても、光案内手段は、回路基板と筐体との間に設けられた光反射層をさらに含むこととしてもよい。
【００１５】
また、本発明において、光案内手段は筐体のキーボードシートに対向する面に形成された凹面を含み、凹面の形状は、発光素子から放射された光をキーボタン及びキーボタンの下側に向けて反射しながら集光する形状であることが好ましい。凹面は、発光素子に対応した位置に形成されることが好ましく、頂点が発光素子の方向に向いた突起を形成するような形状であることがより好ましい。
【００１６】
上述の構成においても、光案内手段は、回路基板と筐体との間に設けられた光反射層をさらに含むこととしてもよい。
【００１７】
また、本発明において、光案内手段は筐体のキーボードシートに対向する面に形成されフレネルレンズを含み、フレネルレンズは、発光素子から放射された光をキーボタン及びキーボタンの下側に向けて反射しながら集光する形状であることが好ましい。フレネルレンズの表面は金属膜により覆われていることがより好ましく、金属膜は回路基板の接地回路に電気的に接続されることがより好ましい。
【発明の効果】
【００１８】
本発明によれば、キー照明構造において、キーボタンにより多くの光が到達するように構成して照明効率を向上し、それにより発光素子への供給電力を低減することができる。
【発明を実施するための最良の形態】
【００１９】
まず、本発明が適用される携帯機器である携帯電話の概要構成について図２を参照しながら説明する。図２は携帯電話の内部構成を示す分解斜視図である。
【００２０】
携帯電話の筐体は、下ケース１と上ケース２とに分けられ、下ケース１と上ケース２との間に回路基板４とキーボードシート６とが収容される。透明あるいは半透明なシリコンゴムなどにより形成されたキーボードシート６にはキーボタン５が取り付けられている。各キーボタン５の上面（キートップ）は、上ケース２に形成された対応する開口２ａを通じて、上ケース２の表面に露出する。
【００２１】
回路基板４には、携帯電話の各機能を実現するためのＬＳＩや電子部品（図示せず）及び表示用ＬＣＤ７が実装される。回路基板４の各キーボタン５の下側にあたる部分にはキー接点部８が設けられ、キーボタン５が押されて接触した際に接点が閉じるようになっている。また、回路基板４上には、キー照明構造を構成する複数のＬＥＤ３が、キー接点５ａの間に配置されている。ＬＥＤ３が発光することで、周囲のキーボタン５を裏側（携帯電話の筐体の内側）から照明する。
【００２２】
次に、本発明の第１実施例について、図３を参照しながら説明する。図３は本発明の第１実施例によるキー照明構造の断面図である。図３において、図２に示す部品と同等な部品には同じ符号を付し、その説明は省略する。なお、図３において図２に示す下カバー１の図示は省略されている。
【００２３】
本実施例では、キーボードシート６と上カバー２との間に光反射層１０が設けられる。光反射層１０は、ＬＥＤ３からの光を効率的に反射してキーボタン５の下側へと導く。光反射層１０は、例えばアルミ箔などの金属箔よりなり、キーボードシート６と上カバー２との間に配置される。あるいは、上ケース２の内側表面に例えばアルミニウムなどの金属を蒸着して光反射層１０としてもよい。上カバー２はプラスチック成形品であり、その内面をアルミニウム蒸着に必要な滑らかな表面にすることは容易である。
【００２４】
回路基板４に設けられたキー接点部８は、通常、キーボタン５の下側で光が散乱するように散乱層として白印刷が施される。本実施例では、このような白印刷を回路基板４の全体に施してもよい。図４は図３に示す構成において、回路基板４の表面に白印刷層１１を設けた構成を示す断面図である。図４中の矢印は、ＬＥＤ３からの光が反射しながらキーボタン５に到達する様子を示す。
【００２５】
すなわち、図４において、ＬＥＤ３から放射された光の一部は、キーボードシート６を透過してキーボタン５に入射するが、大部分は光反射層１０に向かって進み、光反射層１０で反射されて回路基板４に向かって進む。回路基板４に向かって進んだ光は、回路基板４の表面の白印刷層１１で散乱・反射され、キーボタン５に入射するか、再び光反射層１０に向かって進む。光反射層１０に向かって進んだ光は、再度光反射層１０により反射され、反射を繰り返して最終的にキーボタン５に入射する。
【００２６】
このように、ＬＥＤ３からの光の大部分は、光反射層１０と白印刷層１１との間で反射されてキーボタン５に到達するので、ＬＥＤ３の光を効率的にキー照明に用いることができる。また、ＬＥＤ３の発光強度を下げても十分に照明効果を得ることができるため、ＬＥＤ３に供給する電力を低減し、携帯電話が消費する電力を低減することができる。
【００２７】
なお、図４の例では、回路基板４の表面に白印刷層１１を設けているが、一般的に回路基板４の表面は光を反射しやすい表面であり、白印刷層１１は必ずしも設ける必要はない。すなわち、従来上ケースの内面で吸収されていた光を、光反射層１０で回路基板４側に反射するだけでも大きな効果がある。
【００２８】
図５は、図４において回路基板４の表面全体に設けた白印刷層１１をアルミニウム蒸着などにより形成した光反射層１２に代えた例を示す断面図である。ただし、キーボタン５の直下の部分は、白印刷層１１のままとする。これは、キーボタン５の直下では光を散乱させて照度にムラがないようにするためである。
【００２９】
図６は図５に示す構成における光の進み方を示す図である。ＬＥＤ３からの光の大部分は、光反射層１０と光反射層１２との間で反射されてキーボタン５に到達するので、ＬＥＤ３の光を効率的にキー照明に用いることができる。また、キーボタン５の直下では、白印刷層１１により反射光が散乱するので、キーボタン５を一様な照度で照明することができる。さらに、ＬＥＤ３の発光強度を下げても十分に照明効果を得ることができるため、ＬＥＤに供給する電力を低減し、携帯電話が消費する電力を低減することができる。
【００３０】
ここで、上述の光反射層１０及び１２は、光反射率の大きいアルミニウム等の金属を用いて形成することが好ましい。ところが、金属は容易に帯電体となりうる導電体であり、回路基板４の周囲に配置されると、アンテナ効果が生じ、回路基板４に形成された電気回路に対するノイズの発生源になるおそれがある。そこで、光反射層１０及び１２を回路基板４の接地部分に接続して接地電位とすることが好ましい。
【００３１】
光反射層１２の場合は、回路基板４上に形成されるので、容易に回路基板上の接地回路に接続することができる。一方、光反射層１０は、間に絶縁性のキーボードシート６が設けられているので、特別に接地接続構造を設ける必要がある。
【００３２】
図７は光反射層１０が例えばアルミ箔により構成された場合の接地接続構造を示す分解斜視図である。図７に示すように、回路基板４の表面の所定の位置に例えばハンダ等の導電性の金属により突起１３を形成する。突起１３は回路基板４の接地回路に接続される。キーボードシート６の突起１３に対応する位置には、開口１４が形成される。
【００３３】
回路基板４にキーボードシート６が重ねられた状態で、突起１３は開口１４を貫通し、キーボードシート６の上側の光反射層１０に接触する。したがって、図８に示すように、光反射層１０は導電性の突起１３を介して接地回路に接続され、接地電位に維持される。
【００３４】
図９は光反射層１０が例えば上カバー２の内面に形成されたアルミ蒸着層である場合の接地接続構造を示す分解斜視図である。図９に示すように、回路基板４の表面の所定の位置に例えばハンダ等の導電性の金属により突起１３を形成する。突起１３は回路基板４の接地回路に接続される。キーボードシート６の突起１３に対応する位置には、開口１４が形成される。
【００３５】
回路基板４にキーボードシート６が重ねられた状態で、突起１３は開口１４を貫通し、上カバー２の内面に形成された光反射層１０に接触する。したがって、図１０に示すように、光反射層１０は導電性の突起１３を介して接地回路に接続され、接地電位に維持される。
【００３６】
以上のように光反射層１０及び１２を接地することにより、光反射層１０及び１２に起因したノイズの発生を防止することができる。また、接地された導電層により回路基板が覆われることで、回路基板４をシールドする効果が得られ、回路基板４が外部ノイズから保護されるという効果も得られる。
【００３７】
上述のように、本実施例における光反射層１０，１２及び白印刷層１１は、ＬＥＤ３から放射された光を反射しながらキーボタン５及びキーボタン５の下側の回路基板４へと導く光案内手段として機能する。
【００３８】
次に本発明の第２実施例について、図１１を参照しながら説明する。図１１は本発明の第２実施例によるキー照明構造を示す断面図である。図１１において、図１に示す部品と同等な部品には同じ符号を付し、その説明は省略する。
【００３９】
本実施例では、上カバー２のＬＥＤ３の直上となる部分に例えば三角錐や円錐のような断面が三角形の突起２ｂを設けている。突起２ｂの頂点はＬＥＤ３の方向に向いており、上カバーの一部として一体的に形成される。
【００４０】
ＬＥＤ３からの光において、ＬＥＤ３の法線方向における強度が一番強い。ＬＥＤ３の直上が従来のように平面である場合、ＬＥＤ３の法線方向に進む光は反射されても再びＬＥＤ３に戻るだけであり、キーボタン５の照明に有効に利用されない。しかし、本実施例によれば、図１１に示すように、上カバー２に突起２ｂをＬＥＤ３の直上に設けることにより、ＬＥＤ３の法線方向に出射した光は、突起２ｂの表面で反射されてキーボタン５の真下に向かう方向に進む。これにより、一番強度が強い光を効率的にキーボタン５に導くことができる。なお、ＬＥＤ３からの光のうち、突起２ｂ以外の部分に進む光は法線方向に対してある程度傾斜しているため、平面部分で反射されても反射を繰り返してキーボタン５に導かれる。
【００４１】
突起２ｂは上カバー２の成形時に一体的に形成されるため、別部品として設ける必要はなく、上カバー２の製造コストが上昇することはない。突起２ｂが上カバー２の内面から突出するため、キーボードシート６の対応する位置に突起２ｂと実質的に同じ形状の凹部６ａを設けることが好ましい。
【００４２】
図１２は図１１に示すキー照明構造に、さらに光反射層１０を設けた例を示す断面図である。上述の第１実施例において説明したように、上カバー２の内面は光反射率が低いため、光反射層１０を設けて反射率を高めることが好ましい。突起２ｂの形状に対応した光反射層１０により、ＬＥＤ３から法線方向に放射された光は２回の反射により効率的にキーボタン５に導かれることがわかる。
【００４３】
すなわち、ＬＥＤ３からの光のうちの一部は、従来と同様にキーボタン５に直接到達するが、それ以外の光は上カバー２の光反射層１０によって反射され、回路基板４に戻る。戻った光は、回路基板４の白印刷層１１で反射されると同時に散乱されキーボタン５に入射する。これにより、上カバー２で吸収されていた光が反射され再利用されることとなり、キーボタン５により多くの光を導くことができる。
【００４４】
図１３は図１２示す構成において、さらに白印刷層１１を回路基板４の表面に設けた例を示す断面図である。キーボタン５の下側において光が散乱反射され、キーボタン５を一様な照度で照明することができる。
【００４５】
図１４は、図１３に示す構成のうち、キーボタン５の真下以外の部分に光反射層１２を設けた例を示す図である。キーボタン５の真下以外の部分では高い反射率の光反射層１２により反射され、ＬＥＤ３からの光を効率的にキーボタン５に導くことができる。
【００４６】
図１５は、図１３に示す構成において、光反射層１０を上カバー２の内面にアルミニウム蒸着で形成した例を示す図である。
【００４７】
図１６は、図１３に示す構成において、光反射層１０をキーボードシート６の上面にアルミニウム蒸着で形成した例を示す図である。図１６に示すように光反射層１０をキーボードシート６上に形成した場合、図１７に示すように上カバー２の内面に突起２ｂを設けなくてもよい。
【００４８】
また、図１８は、図１６に示す構成において、キーボタン５の真下以外の部分の白印刷層１１を光反射層１２に代えた例を示す図である。キーボタン５の直下までは高い反射率の光反射層１２により効率的に反射され、キーボタン５の真下で散乱反射されて一様な照度でキーボタン５を照明することができる。
【００４９】
なお、上述の実施例において、突起２ｂあるいは凹部６ａは一つだけでなく反射光の経路を考慮して複数個設けることとしてもよい。また、高反射率の光反射層１０，１２としてアルミニウム蒸着による膜を用いる場合を説明したが、反射率の高いプラスチックメッキ、白印刷などを用いることとしてもよい。
【００５０】
また、上述の第１実施例において説明したように、本実施例においても、光反射層１０，１２を回路基板４の接地回路に接続することが好ましい。
【００５１】
上述のように、本実施例における突起２ｂ、凹部６ａ、光反射層１０，１２及び白印刷層１１は、ＬＥＤ３から放射された光を反射しながらキーボタン５及びキーボタン５の下側の回路基板４へと導く光案内手段として機能する。
【００５２】
次に、本発明の第３実施例によるキー照明構造ついて、図１９を参照しながら説明する。図１９は本発明の第３実施例によるキー照明構造を示す断面図である。図１９において、図１に示す部品と同等な部品には同じ符号を付し、その説明は省略する。
【００５３】
本実施例では、上カバー２のＬＥＤ３の直上及びその近傍の部分を集光作用を有する曲面である凹面２ｃとして構成している。凹面２ｃは上カバー２の内面に設けられた突起の周囲の面として構成され、上カバー２の一部として一体的に形成される。また、キーボードシート６の凹面２ｃに対向する部分には、凹面２ｃと実質的に同じ形状の凸面６ｂが形成される。
【００５４】
凹面２ｃは凹面鏡と同様な機能を有し、反射した光を集光する。本実施例の場合、ＬＥＤ３の１点から放射状に射出された光は、凹面２ｃで反射されると、ほぼ平行でキーボタン５の下側に向かう光となる。すなわち、ＬＥＤ３からの放射光は凹面２ｃにより集光されてキーボタン５の下側近傍へと導かれる。
【００５５】
したがって、ＬＥＤ３から放射される光の大部分をキーボタン５の方向へ導くことができ、ＬＥＤ３からの光を有効に使用してキーボタン５を照明することができる。これにより、ＬＥＤ３の発光のための供給電力を低減することができ、携帯電話や携帯端末装置等の消費電力を低減することができる。
【００５６】
図２０は図１９に示すキー照明構造に、さらに光反射層１０を設けた例を示す断面図である。上述の第１実施例において説明したように、上カバー２の内面は光反射率が低いため、光反射層１０を設けて反射率を高めることが好ましい。凹面２ｃの形状に対応した光反射層１０により、ＬＥＤ３から法線方向に放射された光は２回の反射により効率的にキーボタン５に導かれることがわかる。
【００５７】
すなわち、ＬＥＤ３からの光のうちの一部は、従来と同様にキーボタン５に直接到達するが、それ以外の光は上カバー２の光反射層１０によって反射・集光され、回路基板４に戻る。戻った光は、回路基板４の白印刷層１１で反射されると同時に散乱されキーボタン５に入射する。これにより、これまで上カバー２で吸収されていた光が反射され、再利用されることとなり、キーボタン５により多くの光を導くことができる。
【００５８】
図２１は図２０示す構成において、さらに白印刷層１１を回路基板４の表面に設けた例を示す断面図である。キーボタン５の下側において光が散乱反射され、キーボタン５を一様な照度で照明することができる。
【００５９】
図２２は、図２１に示す構成のうち、キーボタン５の真下以外の部分に光反射層１２を設けた例を示す図である。キーボタン５の真下以外の部分では高い反射率の光反射層１２により反射され、ＬＥＤ３からの光を効率的にキーボタン５に導くことができる。
【００６０】
図２３は、図２１に示す構成において、光反射層１０を上カバー２の内面にアルミニウム蒸着で形成した例を示す図である。また、図２４は、図２１に示す構成において、光反射層１０をキーボードシート６の上面及び凸面６ｃにアルミニウム蒸着で形成した例を示す図である。光反射層１０をキーボードシート６上に形成した場合、上カバー２の内面に凹面２ｃを設けなくてもよい。
【００６１】
また、図２５は、図２２に示す構成において、上カバー２の内面のキーボタン５に近い部分を曲面２ｄとした例を示す図である。上カバー２の内面のキーボタン５に近い部分を曲面２ｄとして構成することにより、従来キーボタン５の近傍で上カバー２の部分で遮光されていた光が曲面２ｄによりキーボタン５の下側へと反射されるようになる。したがって、キーボタン５により多くの光を導くことができる。
【００６２】
図２６は、図２３に示す構成において、上カバー２の内面のＬＥＤ３の真上及びその近傍の部分にフレネルレンズ２ｅを形成したものである。フレネルレンズ２ｅは、同心円状の細かい溝の内面に光反射膜を形成して構成される。ＬＥＤ３から放射状に射出された光は、フレネルレンズ２ｅにより反射され、ほぼ平行でキーボタン５の下側に向かう光となる。フレネルレンズ２ｅには突起２ｂが形成されないので、上カバー２とキーボードシート６との間の距離を狭くすることができ、携帯電話等の筐体の厚みを低減することができる。
【００６３】
なお、上述の実施例において、凹面２ｃは一つだけでなく反射光の経路を考慮して複数個設けることとしてもよい。また、高反射率の光反射層１０，１２としてアルミニウム蒸着による膜を用いる場合を説明したが、反射率の高いプラスチックメッキ、白印刷などを用いることとしてもよい。
【００６４】
また、上述の第１実施例において説明したように、本実施例においても、光反射層１０，１２を回路基板４の接地回路に接続することが好ましい。
【００６５】
上述のように、本実施例における凹面２ｃ、凸面６ｂ、光反射層１０，１２及び白印刷層１１は、ＬＥＤ３から放射された光を反射しながらキーボタン５及びキーボタン５の下側の回路基板４へと導く光案内手段として機能する。
【００６６】
以上の如く、本明細書は以下の発明を開示する。
【００６７】
（付記１）  電子機器のキーボタンを裏側から照明するためのキー照明構造であって、
キーボタンが取り付けられた略透明なキーボードシートと、
該キーボードシートの下側に延在し、キー照明用の発光素子が実装された回路基板と、
該キーボードシートの上側に延在する筐体と
前記発光素子から放射された光を反射して、前記キーボタン及び前記回路基板の前記キーボタンの下面に対向する位置に導く光案内手段と、
を有することを特徴とするキー照明構造。
【００６８】
（付記２）  付記１記載のキー照明構造であって、
前記光案内手段は、前記回路基板と前記筐体との間に設けられた光反射層を含むことを特徴とするキー照明構造。
【００６９】
（付記３）  付記２記載のキー照明構造であって、
前記光反射層は、前記キーボードシートと前記筐体との間に配置された金属箔であることを特徴とするキー照明構造。
【００７０】
（付記４）  付記２記載のキー照明構造であって、
前記光反射層は、前記筐体の前記キーボードシートに対向する面に形成された金属膜であることを特徴とするキー照明構造。
【００７１】
（付記５）  付記２記載のキー照明構造であって、
前記光反射層は、前記キーボードシートの前記筐体に対向する面に形成された金属膜であることを特徴とするキー照明構造。
【００７２】
（付記６）  付記２記載のキー照明構造であって、
前記光反射層は、前記回路基板の表面に設けられた白印刷層を含むことを特徴とするキー照明構造。
【００７３】
（付記７）  付記２記載のキー照明構造であって、
前記光反射層は、前記回路基板の前記キーボードシートに対向する面に設けられた金属膜と、前記回路基板の前記キーボタンの下面に対向する位置に設けられた白印刷層とを含むことを特徴とするキー照明構造。
【００７４】
（付記８）  付記２記載のキー照明構造であって、
前記光反射層は前記回路基板の接地回路に電気的に接続されたことを特徴とするキー照明構造。
【００７５】
（付記９）  付記１記載のキー照明構造であって、
前記光案内手段は前記筐体の前記キーボードシートに対向する面に形成された突起を含み、
該突起の外面形状は、前記発光素子から放射された光を前記キーボタン及び前記キーボタンの下側に向けて反射する形状であることを特徴とするキー照明構造。
【００７６】
（付記１０）  付記９記載のキー照明構造であって、
前記突起は、前記発光素子に対応した位置に形成されることを特徴とするキー照明構造。
【００７７】
（付記１１）  付記１０記載のキー照明構造であって、
前記突起は、頂点が前記発光素子の方向に向いた三角形の断面を有することを特徴とするキー照明構造。
【００７８】
（付記１２）  付記９記載のキー照明構造であって、
前記光案内手段は、前記回路基板と前記筐体との間に設けられた光反射層をさらに含むことを特徴とするキー照明構造。
【００７９】
（付記１３）  付記１２記載のキー照明構造であって、
前記光反射層は前記回路基板の接地回路に電気的に接続されたことを特徴とするキー照明構造。
【００８０】
（付記１４）  付記１２記載のキー照明構造であって、
前記光反射層は、前記キーボードシートと前記筐体の前記突起との間に配置され、前記突起の外面を覆うように設けられた金属箔であることを特徴とするキー照明構造。
【００８１】
（付記１５）  付記１２記載のキー照明構造であって、
前記光反射層は、前記筐体の前記突起の表面に形成された金属膜であることを特徴とするキー照明構造。
【００８２】
（付記１６）  付記１２項記載のキー照明構造であって、
前記キーボードシートは、前記突起に対向する位置に前記突起と同じ形状の凹部を有し、
前記光反射層は、前記キーボードシートの前記筐体に対向する面及び前記凹部の内面に形成された金属膜であることを特徴とするキー照明構造。
【００８３】
（付記１７）  付記１２記載のキー照明構造であって、
前記光反射層は、前記回路基板の表面に設けられた白印刷層を含むことを特徴とするキー照明構造。
【００８４】
（付記１８）  付記１２記載のキー照明構造であって、
前記光反射層は、前記回路基板の前記キーボードシートに対向する面に設けられた金属膜と、前記回路基板の前記キーボタンの下面に対向する位置に設けられた白印刷層とを含むことを特徴とするキー照明構造。
【００８５】
（付記１９）  付記１記載のキー照明構造であって、
前記光案内手段は前記筐体の前記キーボードシートに対向する面に形成された凹面を含み、
該凹面の形状は、前記発光素子から放射された光を前記キーボタン及び前記キーボタンの下側に向けて反射しながら集光する形状であることを特徴とするキー照明構造。
【００８６】
（付記２０）  付記１９記載のキー照明構造であって、
前記凹面は、前記発光素子に対応した位置に形成されることを特徴とするキー照明構造。
【００８７】
（付記２１）  付記２０記載のキー照明構造であって、
前記凹面は、頂点が前記発光素子の方向に向いた突起を形成するような形状であることを特徴とするキー照明構造。
【００８８】
（付記２２）  付記１９記載のキー照明構造であって、
前記光案内手段は、前記回路基板と前記筐体との間に設けられた光反射層をさらに含むことを特徴とするキー照明構造。
【００８９】
（付記２３）  付記２２項記載のキー照明構造であって、
前記光反射層は前記回路基板の接地回路に電気的に接続されたことを特徴とするキー照明構造。
【００９０】
（付記２４）  付記２２記載のキー照明構造であって、
前記光反射層は、前記キーボードシートと前記筐体の前記凹面との間に配置され、前記凹面に沿って延在するように設けられた金属箔であることを特徴とするキー照明構造。
【００９１】
（付記２５）  付記２２項記載のキー照明構造であって、
前記光反射層は、前記筐体の前記凹面上に形成された金属膜であることを特徴とするキー照明構造。
【００９２】
（付記２６）  付記２２記載のキー照明構造であって、
前記キーボードシートは、前記凹面に対向する位置に前記凹面と同じ形状の凸面を有し、
前記光反射層は、前記キーボードシートの前記筐体に対向する面及び前記凸面に形成された金属膜であることを特徴とするキー照明構造。
【００９３】
（付記２７）  付記２２記載のキー照明構造であって、
前記光反射層は、前記回路基板の表面に設けられた白印刷層を含むことを特徴とするキー照明構造。
【００９４】
（付記２８）  付記２２記載のキー照明構造であって、
前記光反射層は、前記回路基板の前記キーボードシートに対向する面に設けられた金属膜と、前記回路基板の前記キーボタンの下面に対向する位置に設けられた白印刷層とを含むことを特徴とするキー照明構造。
【００９５】
（付記２９）  付記１記載のキー照明構造であって、
前記光案内手段は前記筐体の前記キーボードシートに対向する面に形成されフレネルレンズを含み、
該フレネルレンズは、前記発光素子から放射された光を前記キーボタン及び前記キーボタンの下側に向けて反射しながら集光する形状であることを特徴とするキー照明構造。
【００９６】
（付記３０）  付記２９記載のキー照明構造であって、
前記フレネルレンズの表面は金属膜により覆われていることを特徴とするキー照明構造。
【００９７】
（付記３１）  付記２９記載のキー照明構造であって、
前記金属膜は前記回路基板の接地回路に電気的に接続されたことを特徴とするキー照明構造。
【図面の簡単な説明】
【００９８】
【図１】従来の携帯電話に設けられたキー照明構造を示す断面図である。
【図２】携帯電話の内部構成を示す分解斜視図である。
【図３】本発明の第１実施例によるキー照明構造の断面図である。
【図４】図３に示す構成において、回路基板の表面に白印刷層を形成した例を示す断面図である。
【図５】図４において回路基板の表面全体に設けた白印刷層をアルミニウム蒸着により形成した光反射層に代えた例を示す断面図である。
【図６】図５に示す構成における光の進み方を示す断面図である。
【図７】光反射層がアルミ箔により構成された場合の接地接続構造を示す分解斜視図である。
【図８】図７に示す突起の近傍を拡大して示す図である。
【図９】光反射層が上カバーの内面に形成されたアルミ蒸着層である場合の接地接続構造を示す分解斜視図である。
【図１０】図９に示す突起の近傍を拡大して示す図である。
【図１１】本発明の第２実施例によるキー照明構造の断面図である。
【図１２】図１１に示すキー照明構造に光反射層を設けた例を示す断面図である。
【図１３】図１２示す構成において、白印刷層を回路基板の表面に設けた例を示す断面図である。
【図１４】図１３に示す構成のうち、キーボタン５の真下以外の部分に光反射層１２を設けた例を示す断面図である。
【図１５】図１３に示す構成において、光反射層を上カバーの内面にアルミニウム蒸着で形成した例を示す断面図である。
【図１６】図１３に示す構成において、光反射層をキーボードシートの上面にアルミニウム蒸着で形成した例を示す断面図である。
【図１７】図１６に示す構成において、上カバー２の内面に突起を設けない例を示す断面図である。
【図１８】図１６に示す構成において、キーボタンの真下以外の部分の白印刷層を光反射層に代えた例を示す断面図である。
【図１９】本発明の第３実施例によるキー照明構造の断面図である。
【図２０】図１９に示すキー照明構造に光反射層を設けた例を示す断面図である。
【図２１】図２０示す構成において、白印刷層を回路基板の表面に設けた例を示す断面図である。
【図２２】図２１に示す構成のうち、キーボタンの真下以外の部分に光反射層を設けた例を示す断面図である。
【図２３】図２１に示す構成において、光反射層を上カバーの内面にアルミニウム蒸着で形成した例を示す断面図である。
【図２４】図２１に示す構成において、光反射層をキーボードシートの上面及び凸面にアルミニウム蒸着で形成した例を示す図である。
【図２５】図２２に示す構成において、上カバーの内面のキーボタンに近い部分を曲面とした例を示す断面図である。
【図２６】図２３に示す構成において、上カバーの内面のＬＥＤの真上及びその近傍の部分にフレネルレンズを形成した例を示す断面図である。
【符号の説明】
【００９９】
１  上ケース
２  下ケース
２ａ  開口
２ｂ  突起
２ｃ  凹面
２ｅ  フレネルレンズ
３  ＬＥＤ
４  回路基板
５  キーボタン
５ａ  キー接点
６  キーボードシート
６ａ  凹部
７  ＬＣＤ
８  キー接点
１０，１２  光反射層
１１  白印刷層
１３  突起
１４  開口
【図１】
2005063887.tif 000003
【図２】
2005063887.tif 000004
【図３】
2005063887.tif 000005
【図４】
2005063887.tif 000006
【図５】
2005063887.tif 000007
【図６】
2005063887.tif 000008
【図７】
2005063887.tif 000009
【図８】
2005063887.tif 000010
【図９】
2005063887.tif 000011
【図１０】
2005063887.tif 000012
【図１１】
2005063887.tif 000013
【図１２】
2005063887.tif 000014
【図１３】
2005063887.tif 000015
【図１４】
2005063887.tif 000016
【図１５】
2005063887.tif 000017
【図１６】
2005063887.tif 000018
【図１７】
2005063887.tif 000019
【図１８】
2005063887.tif 000020
【図１９】
2005063887.tif 000021
【図２０】
2005063887.tif 000022
【図２１】
2005063887.tif 000023
【図２２】
2005063887.tif 000024
【図２３】
2005063887.tif 000025
【図２４】
2005063887.tif 000026
【図２５】
2005063887.tif 000027
【図２６】
2005063887.tif 000028